(57)【要約】【課題】スピーカー装置による振動を抑制しながら、部品点数が増加するのを抑制することが可能な表示装置を提供する。【解決手段】この液晶テレビ１（表示装置）は、液晶テレビ本体を構成する筐体２と、筐体２に配置されるスピーカー装置５と、スピーカー装置５を、スピーカー装置５の本体部５ｂ側から筐体２に押さえ込むブラケット６と、ブラケット６をスピーカー装置５とともに筐体２に固定するねじ部材７とを備えている。また、筐体２のブラケット６に当接する部分には、傾斜部２ｇが含まれ、ブラケット６の筐体２の傾斜部２ｇに当接する部分には、傾斜部６ｇが含まれ、ブラケット６の傾斜部６ｇは、ブラケット６を筐体２に対してねじ部材７により固定する際に、筐体２の傾斜部２ｇに対してスライドするように構成されている。【選択図】図３
2008103948.tif 000002
【特許請求の範囲】
【請求項１】
表示装置本体を構成する筐体と、前記筐体に配置されるスピーカー装置とを備えた表示装置において、
前記スピーカー装置を、前記スピーカー装置の裏面部から前記筐体に押さえ込む２つのブラケットと、
前記ブラケットを前記スピーカー装置とともに前記筐体に固定する２つのねじ部材とをさらに備え、
前記筐体の前記ブラケットに当接する部分には、第１傾斜部が含まれ、
前記ブラケットの前記筐体の第１傾斜部に当接する部分には、第２傾斜部が含まれ、
前記ブラケットの前記第２傾斜部は、前記ブラケットを前記筐体に対して前記ねじ部材により固定する際に、前記筐体の前記第１傾斜部に対してスライドするように構成され、
前記スピーカー装置の外周部は、穴部を有する板金製の平板部を含み、
前記ブラケットは、前記平板部に係合する爪部と、前記穴部に前記第２傾斜部の前記第１傾斜部に対するスライド方向に移動可能に挿入される凸部と、前記ねじ部材が挿入されるねじ穴部とを含み、
前記ねじ穴部は、前記ブラケットの前記第２傾斜部が前記筐体の前記第１傾斜部上をスライドする際に前記ブラケットが移動する方向に延びる長穴状に形成され、
前記筐体は、前記筐体に対する前記ブラケットの位置決めを行うガイド部を一体的に含み、
前記スピーカー装置は、２つの前記ブラケットにより押さえられることによって前記筐体に配置され、
前記２つのブラケットは、それぞれ、１つの前記ブラケットに対して１つの前記ねじ部材により前記筐体に固定されるように構成されている、表示装置。
【請求項２】
表示装置本体を構成する筐体と、
前記筐体に配置されるスピーカー装置と、
前記スピーカー装置を、前記スピーカー装置の裏面部から前記筐体に押さえ込むブラケットと、
前記ブラケットを前記スピーカー装置とともに前記筐体に固定するねじ部材とを備え、
前記筐体の前記ブラケットに当接する部分には、第１傾斜部が含まれ、
前記ブラケットの前記筐体の第１傾斜部に当接する部分には、第２傾斜部が含まれ、
前記ブラケットの前記第２傾斜部は、前記ブラケットを前記筐体に対して前記ねじ部材により固定する際に、前記筐体の前記第１傾斜部に対してスライドするように構成されている、表示装置。
【請求項３】
前記スピーカー装置の外周部は、穴部を有する板金製の平板部を含み、
前記ブラケットは、前記平板部に係合する爪部と、前記穴部に前記第２傾斜部の前記第１傾斜部に対するスライド方向に移動可能に挿入される凸部とを含む、請求項２に記載の表示装置。
【請求項４】
前記ブラケットは、前記ねじ部材が挿入されるねじ穴部をさらに含み、
前記ねじ穴部は、前記ブラケットの前記第２傾斜部が前記筐体の前記第１傾斜部上をスライドする際に前記ブラケットが移動する方向に延びる長穴状に形成されている、請求項２または３に記載の表示装置。
【請求項５】
前記筐体は、前記筐体に対する前記ブラケットの位置決めを行うガイド部を一体的に含む、請求項２〜４のいずれか１項に記載の表示装置。
【請求項６】
前記スピーカー装置は、２つの前記ブラケットにより押さえられることによって前記筐体に配置され、
前記２つのブラケットは、それぞれ、１つの前記ブラケットに対して１つの前記ねじ部材により前記筐体に固定されるように構成されている、請求項２〜５のいずれか１項に記載の表示装置。
【発明の詳細な説明】
【技術分野】
【０００１】
本発明は、表示装置に関し、特に、スピーカー装置を備えた表示装置に関する。
【背景技術】
【０００２】
従来、スピーカー装置を備えた表示装置が知られている（たとえば、特許文献１参照）。
【０００３】
上記特許文献１には、液晶テレビ本体に、スピーカー装置を含むスピーカーユニットが取り付けられた液晶テレビ（表示装置）が開示されている。この液晶テレビのスピーカーユニットの取付構造は、液晶テレビ本体にスピーカーユニットを取り付けるためのブラケットと、ブラケットの一方側を液晶テレビ本体に接続するための２つの段付ビスおよび２つのワッシャと、段付ビスがそれぞれ挿入されるとともに、スピーカー装置による振動が液晶テレビ本体に伝わるのを抑制するためのゴム製の２つのスリーブと、ブラケットの他方側をスピーカーユニットに接続するためのビスとから構成されている。すなわち、このスピーカーユニットは、ブラケットを介して液晶テレビ本体に取り付けられている。
【０００４】
【特許文献１】特開２００６−４７４４１号公報
【発明の開示】
【発明が解決しようとする課題】
【０００５】
しかしながら、上記特許文献１に開示された液晶テレビ（表示装置）では、ゴム製の２つのスリーブにより、スピーカー装置の振動が液晶テレビ本体に伝わるのを抑制することができる一方、液晶テレビ本体にスピーカーユニットを取り付けるために、ブラケットと、ブラケットの一方側を液晶テレビ本体に接続するための２つの段付ビスおよび２つのワッシャと、ブラケットの他方側をスピーカーユニットに接続するためのビスとに加えて、段付ビスがそれぞれ挿入される２つのスリーブを必要とするため、部品点数が増加するのを抑制することが困難であるという問題点がある。
【０００６】
この発明は、上記のような課題を解決するためになされたものであり、この発明の１つの目的は、スピーカー装置による振動を抑制しながら、部品点数が増加するのを抑制することが可能な表示装置を提供することである。
【課題を解決するための手段および発明の効果】
【０００７】
この発明の第１の局面による表示装置は、表示装置本体を構成する筐体と、筐体に配置されるスピーカー装置とを備えた表示装置において、スピーカー装置を、スピーカー装置の裏面部から筐体に押さえ込む２つのブラケットと、ブラケットをスピーカー装置とともに筐体に固定する２つのねじ部材とをさらに備え、筐体のブラケットに当接する部分には、第１傾斜部が含まれ、ブラケットの筐体の第１傾斜部に当接する部分には、第２傾斜部が含まれ、ブラケットの第２傾斜部は、ブラケットを筐体に対してねじ部材により固定する際に、筐体の第１傾斜部に対してスライドするように構成され、スピーカー装置の外周部は、穴部を有する板金製の平板部を含み、ブラケットは、平板部に係合する爪部と、穴部に第２傾斜部の第１傾斜部に対するスライド方向に移動可能に挿入される凸部と、ねじ部材が挿入されるねじ穴部とを含み、ねじ穴部は、ブラケットの第２傾斜部が筐体の第１傾斜部上をスライドする際にブラケットが移動する方向に延びる長穴状に形成され、筐体は、筐体に対するブラケットの位置決めを行うガイド部を一体的に含み、スピーカー装置は、２つのブラケットにより押さえられることによって筐体に配置され、２つのブラケットは、それぞれ、１つのブラケットに対して１つのねじ部材により筐体に固定されるように構成されている。
【０００８】
この発明の第１の局面による表示装置では、上記のように、筐体の第１傾斜部に当接するブラケットの第２傾斜部を、ブラケットを筐体に対してねじ部材により固定する際に、ブラケットに当接する筐体の第１傾斜部に対してスライドするように構成することによって、ブラケットと筐体とに挟み込まれるスピーカー装置の部分の厚みが変化した場合にも、筐体の第１傾斜部とブラケットの第２傾斜部とを常に互いに当接させることができるので、ブラケットを筐体に対して安定した状態で固定しながら、ブラケットと筐体との間にスピーカー装置を挟み込むことにより固定することができる。その結果、スピーカー装置を、筐体に対して安定した状態で取り付けることができるので、スピーカー装置による振動を抑制することができる。この場合、スピーカー装置による振動を抑制するためのゴム製のスリーブなどを別途設ける必要がないため、部品点数が増加するのを抑制することができる。
【０００９】
また、第１の局面では、スピーカー装置の外周部に、穴部を有する板金製の平板部を設け、ブラケットに、平板部に係合する爪部と、穴部に第２傾斜部の第１傾斜部に対するスライド方向に移動可能に挿入される凸部とを設けることによって、スピーカー装置の外周部の穴部にブラケットの凸部を挿入した状態でブラケットを筐体にねじ部材により固定することにより、穴部と凸部との係合により、ブラケットがスピーカー装置に対して大きく移動するのを抑制しながら、穴部に対してスライド移動可能な凸部によりブラケットをスピーカー装置に対してスライド移動させることができる。また、ブラケットの爪部をスピーカー装置の平板部に係合させることによって、スピーカー装置がブラケットに対してがたつくのを抑制することができる。また、ブラケットのねじ穴部を、ブラケットの第２傾斜部が筐体の第１傾斜部上をスライドする際に、平面的に見てブラケットが移動する方向に延びる長穴状に形成することによって、ブラケットの第２傾斜部が筐体の第１傾斜部に対してスライドするのに伴ってねじ穴部が移動する際に、ねじ部材が挿入された状態でねじ穴部を移動させることができるので、ねじ止めができなくなるのを抑制することができる。また、筐体に、筐体に対するブラケットの位置決めを行うガイド部を一体的に設けることによって、ガイド部により、容易に、ブラケットが筐体に対してがたつくのを抑制することができる。また、スピーカー装置は、２つのブラケットにより押さえられ、２つのブラケットを、それぞれ、１つのブラケットに対して１つのねじ部材により固定されるように構成することによって、１つのブラケットに対して１つのねじ部材を使用することにより、容易に、部品点数が増加するのを抑制することができるとともに、２つのブラケットにより、容易に、スピーカー装置を安定した状態で筐体に取り付けることができる。
【００１０】
この発明の第２の局面における表示装置は、表示装置本体を構成する筐体と、筐体に配置されるスピーカー装置と、スピーカー装置を、スピーカー装置の裏面部から筐体に押さえ込むブラケットと、ブラケットをスピーカー装置とともに筐体に固定するねじ部材とを備え、筐体のブラケットに当接する部分には、第１傾斜部が含まれ、ブラケットの筐体の第１傾斜部に当接する部分には、第２傾斜部が含まれ、ブラケットの第２傾斜部は、ブラケットを筐体に対してねじ部材により固定する際に、筐体の第１傾斜部に対してスライドするように構成されている。
【００１１】
この第２の局面による表示装置では、上記のように、筐体の第１傾斜部に当接するブラケットの第２傾斜部を、ブラケットを筐体に対してねじ部材により固定する際に、ブラケットに当接する筐体の第１傾斜部に対してスライドするように構成することによって、ブラケットと筐体とに挟み込まれるスピーカー装置の部分の厚みが変化した場合にも、筐体の第１傾斜部とブラケットの第２傾斜部とを常に互いに当接させることができるので、ブラケットを筐体に対して安定した状態で固定しながら、ブラケットと筐体との間にスピーカー装置を挟み込むことにより固定することができる。その結果、スピーカー装置を、筐体に対して安定した状態で取り付けることができるので、スピーカー装置による振動を抑制することができる。この場合、スピーカー装置による振動を抑制するためのゴム製のスリーブなどを別途設ける必要がないため、部品点数が増加するのを抑制することができる。
【００１２】
上記第２の局面による表示装置において、好ましくは、スピーカー装置の外周部は、穴部を有する板金製の平板部を含み、ブラケットは、平板部に係合する爪部と、穴部に第２傾斜部の第１傾斜部に対するスライド方向に移動可能に挿入される凸部とを含む。このように構成すれば、スピーカー装置の外周部の穴部にブラケットの凸部を挿入した状態でブラケットを筐体にねじ部材により固定することにより、穴部と凸部との係合により、ブラケットがスピーカー装置に対して大きく移動するのを抑制しながら、穴部に対してスライド移動可能な凸部によりブラケットをスピーカー装置に対してスライド移動させることができる。また、ブラケットの爪部をスピーカー装置の平板部に係合させることによって、スピーカー装置がブラケットに対してがたつくのを抑制することができる。
【００１３】
上記第２の局面による表示装置において、好ましくは、ブラケットは、ねじ部材が挿入されるねじ穴部をさらに含み、ねじ穴部は、ブラケットの第２傾斜部が筐体の第１傾斜部上をスライドする際にブラケットが移動する方向に延びる長穴状に形成されている。このように構成すれば、ブラケットの第２傾斜部が筐体の第１傾斜部に対してスライドするのに伴ってねじ穴部が移動する際に、ねじ部材が挿入された状態でねじ穴部を移動させることができるので、ねじ止めができなくなるのを抑制することができる。
【００１４】
上記第２の局面による表示装置において、好ましくは、筐体は、筐体に対するブラケットの位置決めを行うガイド部を一体的に含む。このように構成すれば、ガイド部により、容易に、ブラケットが筐体に対してがたつくのを抑制することができる。
【００１５】
上記第２の局面による表示装置において、好ましくは、スピーカー装置は、２つのブラケットにより押さえられることによって筐体に配置され、２つのブラケットは、それぞれ、１つのブラケットに対して１つのねじ部材により筐体に固定されるように構成されている。このように構成すれば、１つのブラケットに対して１つのねじ部材を使用することにより、容易に、部品点数が増加するのを抑制することができるとともに、２つのブラケットにより、容易に、スピーカー装置を安定した状態で筐体に取り付けることができる。
【発明を実施するための最良の形態】
【００１６】
以下、本発明を具体化した実施形態を図面に基づいて説明する。
【００１７】
図１は、本発明の一実施形態による液晶テレビの全体を示した正面図であり、図２は、図１の側面図である。図３〜図１９は、図１に示した一実施形態による液晶テレビの構造を説明するための図である。図２０は、図１に示した一実施形態による液晶テレビの構造およびスピーカー装置の組付手順を説明するための図である。まず、図１〜図２０を参照して、本発明の一実施形態による液晶テレビの構造について説明する。なお、本実施形態では、表示装置の一例である液晶テレビに本発明を適用した場合について説明する。
【００１８】
本発明の一実施形態による液晶テレビ１は、図１および図２に示すように、筐体２と、液晶テレビ１の画面を構成する液晶パネルからなる表示部３と、液晶テレビ１の本体を支持するスタンド部４とから構成されている。なお、筐体２および表示部３によって、液晶テレビ本体（表示装置本体）が構成されている。また、筐体２の矢印Ｌ方向および矢印Ｒ方向の両側には、それぞれ、後述するスピーカー装置５から発せられる音声を通すための複数の孔部２ａが設けられている。また、図３および図４に示すように、筐体２の裏面の矢印Ｌ方向および矢印Ｒ方向に設けられているケース部２ｂには、それぞれ、スピーカー装置５が取り付けられている。矢印Ｌ方向側のスピーカー装置５は、図５〜図９に示すように、２つの樹脂製のブラケット６によって押さえられるとともに、ねじ部材７によって、ケース部２ｂの矢印Ｌ方向側に取り付けられている。この２つのブラケット６は、それぞれ、１つのブラケット６に対して１つのねじ部材７により筐体２に固定されるように構成されている。また、矢印Ｒ方向側のスピーカー装置５も、矢印Ｌ側のスピーカー装置５と同様に、ケース部２ｂの矢印Ｒ方向側に取り付けられている。
【００１９】
また、スピーカー装置５は、図１０〜図１２に示すように、スピーカー部５ａと、板金製の本体部５ｂとを含む。また、本体部５ｂには、スピーカー部５ａの外周部に沿って、一体的に設けられた厚みｔ１（図１１参照）を有する板金製の平板部５ｃが形成されている。また、スピーカー部５ａは、図１１に示すように、平板部５ｃから前方（矢印Ｃ方向）側に距離Ｄ１だけ突出するように形成されている。なお、このスピーカー部５ａは、材料として紙材を使用しているため、スピーカー部５ａの平板部５ｃよりも前方（矢印Ｃ方向）に突出する距離は、製品および環境の違いによって、距離Ｄ１よりも距離Ｄ２（約０．５ｍｍ）（図２０参照）だけ大きくなるような誤差を生じる場合がある。また、平板部５ｃの４隅近傍には、図１０および図１２に示すように、挿入穴部５ｄがそれぞれ設けられている。なお、挿入穴部５ｄは、本発明の「穴部」の一例である。この挿入穴部５ｄは、Ｄ３の直径を有するように構成されている。
【００２０】
また、本実施形態では、図１３〜図１７に示すように、樹脂製のブラケット６は、スピーカー装置５の本体部５ｂを、本体部５ｂの外形に沿って支持するための支持部６ａと、スピーカー装置５の挿入穴部５ｄに挿入可能な２つの凸部６ｂと、スピーカー装置５の平板部５ｃに係合可能な一対の爪部６ｃと、ブラケット６がスピーカー装置５とともに筐体２のケース部２ｂに取り付けられる際に、ねじ部材７が挿入される長穴部６ｄとを含んでいる。なお、長穴部６ｄは、本発明の「ねじ穴部」の一例である。また、スピーカー装置５の平板部５ｃの筐体２側の表面に当接する爪部６ｃの係合面６ｅ（図１３および図１６参照）と、スピーカー装置５の平板部５ｃの筐体２とは反対側の表面に当接する凸部６ｂの段差部６ｆ（図１４および図１６参照）との間の矢印Ｃ方向の距離Ｄ４（図１６参照）は、スピーカー装置５の平板部５ｃの厚みｔ１（図１１参照）とほぼ同じになるように構成されている。また、各凸部６ｂは、図１６に示すように、Ｄ５の直径を有する円柱状に形成されている。この凸部６ｂの直径Ｄ５は、スピーカー装置５の挿入穴部５ｄの直径Ｄ３（図１０および図１２参照）よりも少し小さくなるように構成されている。これにより、後述するブラケット６の傾斜部６ｇが後述する筐体２の傾斜部２ｇに対してスライドする際に、凸部６ｂは、挿入穴部５ｄに対して移動可能に挿入される。また、ブラケット６のケース部２ｂ側の表面の長穴部６ｄの近傍の側部には、図１４および図１７に示すように、傾斜部６ｇが設けられている。この傾斜部６ｇは、ブラケット６が筐体２に取り付けられる面に対して約４５°の傾斜を有するように構成されている。なお、傾斜部６ｇは、本発明の「第２傾斜部」の一例である。また、長穴部６ｄは、Ｅ方向（図１５参照）に延びる長穴状に形成されている。
【００２１】
また、図４、図１８および図１９に示すように、筐体２のケース部２ｂは、ケース部２ｂの外形を形成するとともに、ブラケット６の矢印Ｒ方向およびＬ方向の位置決めを行うためのガイド部２ｃと、スピーカー装置５のスピーカー部５ａの外形に対応する形に形成されている受け部２ｄと、Ａ方向側およびＢ方向側にそれぞれ設けられ、ブラケット６を支持するための複数のリブ部２ｅと、Ａ方向およびＢ方向側の複数のリブ部２ｅにそれぞれ１つずつ一体的に設けられたねじ穴部２ｆとを含む。また、Ａ方向およびＢ方向側のリブ部２ｅのブラケット６の傾斜部６ｇ（図１４および図１７参照）に対応する部分には、それぞれ、傾斜部２ｇ（図１８および図１９参照）が設けられている。この傾斜部２ｇは、傾斜部６ｇと同様にブラケット６の筐体２に取り付けられる面に対して、約４５°の傾斜を有するように構成されている。なお、傾斜部２ｇは、本発明の「第１傾斜部」の一例である。これにより、ブラケット６の傾斜部６ｇが筐体２の傾斜部２ｇに対してＥ方向（図１５参照）にスライドする際に、長穴部６ｄもＥ方向（図１５参照）に移動するので、ねじ部材７が挿入された状態でねじ止めができなくなるのが抑制される。
【００２２】
ここで、本実施形態では、図６および図８に示すように、矢印Ｌ方向側のスピーカー装置５の平板部５ｃは、平板部５ｃの筐体２側の表面が一対の爪部６ｃの各係合面６ｅに当接することによって、ブラケット６の一対の爪部６ｃに係合されている。また、スピーカー装置５のＡ方向側の２つの挿入穴部５ｄには、図８に示すように、それぞれ、ブラケット６の２つの凸部６ｂが挿入されているとともに、平板部５ｃの筐体２とは反対側の表面は、２つの凸部６ｂの各段差部６ｆに当接している。すなわち、平板部５ｃの筐体２側の表面および筐体２とは反対側の表面は、それぞれ、ブラケット６の爪部６ｃの係合面６ｅおよび凸部６ｂの段差部６ｆに当接されることによって、ブラケット６に固定されている。また、ブラケット６の凸部６ｂの直径Ｄ５（図１６参照）は、挿入穴部５ｄの直径Ｄ３（図１０および図１２参照）よりも少し小さくなるように構成されているため、凸部６ｂは、挿入穴部５ｄに対して矢印ＡおよびＢ方向に移動可能である。これにより、ブラケット６は、矢印ＡおよびＢ方向に対してスピーカー装置５に拘束されないため、ブラケット６の傾斜部６ｇを、ケース部２ｂの傾斜部２ｇに対して移動可能に当接させることが可能である。また、爪部６ｃの係合面６ｅ（図１３および図１６参照）と、凸部６ｂの段差部６ｆ（図１４および図１６参照）との距離Ｄ４（図１６参照）は、スピーカー装置５の平板部５ｃの厚みｔ１（図１１参照）とほぼ同じになるように構成されているので、ブラケット６がスピーカー装置５に対してがたつくのを抑制することが可能となる。なお、矢印Ｒ方向側のスピーカー装置５も、矢印Ｌ方向側のスピーカー装置５と同様に、ブラケット６に固定されるように構成されている。
【００２３】
また、本実施形態では、図８に示すように、矢印Ｌ方向側の矢印ＡおよびＢ方向側の各ブラケット６に固定されているスピーカー装置５のスピーカー部５ａは、ケース部２ｂの受け部２ｄに当接されている。また、図５および図６に示すように、スピーカー装置５を固定する矢印ＡおよびＢ方向側各ブラケット６の一対の爪部６ｃの外側面部６ｈ（図１３参照）は、それぞれ、ケース部２ｂのガイド部２ｃに当接されている。また、図８および図９に示すように、ブラケット６の傾斜部６ｇは、筐体２の傾斜部２ｇに当接されている。なお、矢印Ｒ方向側の上下各ブラケット６に固定されているスピーカー装置５も、矢印Ｌ方向側のスピーカー装置５と同様に、ケース部２ｂに配置されている。
【００２４】
図２１〜図２３は、図１に示した一実施形態による液晶テレビのスピーカー装置の組付手順を説明するための図である。次に、図５、図８、図９および図２１〜図２３を参照して、本実施形態における液晶テレビ１のスピーカー装置５の組付手順について説明する。
【００２５】
まず、スピーカー部５ａが平板部５ｃよりもＤ１だけ突出しているスピーカー装置５を筐体２のケース部２ｂに組み付ける場合について説明する。
【００２６】
まず、図２１に示すように、矢印ＡおよびＢ方向側の２つのブラケット６をスピーカー装置５に取り付ける。具体的には、矢印ＡおよびＢ方向側の２つのブラケット６の凸部６ｂ（図２２参照）を、それぞれ、スピーカー装置５の挿入穴部５ｄに挿入するとともに、一対の爪部６ｃを、それぞれ、平板部５ｃの筐体２側の表面に係合する。このとき、爪部６ｃの係合面６ｅが、平板部５ｃの筐体２とは反対側の表面に係合する。これにより、矢印ＡおよびＢ方向側の各ブラケット６は、スピーカー装置５を固定することが可能となる。そして、ブラケット６が取り付けられたスピーカー装置５を、ケース部２ｂに配置する。この際、スピーカー装置５のスピーカー部５ａ（図２２参照）は、ケース部２ｂの受け部２ｄに当接されるように配置されるとともに、ブラケット６の一対の爪部６ｃの外側面部６ｈは、それぞれ、ケース部２ｂのガイド部２ｃに当接される。また、図２３に示すように、ブラケット６の筐体２側の表面は、ケース部２ｂのリブ部２ｅに当接されるとともに、傾斜部６ｇは、筐体２の傾斜部２ｇに当接される。このようにして、図２２および図２３に示すように、ブラケット６が取り付けられたスピーカー装置５は、ケース部２ｂに配置される。そして、ブラケット６の傾斜部６ｇが筐体２の傾斜部２ｇに当接した状態で、図５および図９に示すように、ねじ部材７を用いて、スピーカー装置５に取り付けられた矢印ＡおよびＢ方向側の各ブラケット６をケース部２ｂに対して固定する。この際、ねじ部材７は、ブラケット６の長穴部６ｄを介してケース部２ｂのねじ穴部２ｆに挿入されて締め付けられる。このようにして、筐体２のケース部２ｂに対するスピーカー部５ａが平板部５ｃよりもＤ１だけ突出しているスピーカー装置５の組付が完了する。
【００２７】
次に、図２０を参照して、スピーカー部５ａが平板部５ｃよりもＤ１＋Ｄ２だけ突出しているスピーカー装置５を筐体２のケース部２ｂに組付ける場合について説明する。なお、スピーカー装置５に上下各ブラケット６を固定させる組付手順は、上記スピーカー部５ａが平板部５ｃよりもＤ１だけ突出しているスピーカー装置５の組付手順の場合と同様なので、その説明を省略する。
【００２８】
まず、図２０に示すように、ねじ部材７を用いて、スピーカー装置５に取り付けられた矢印ＡおよびＢ方向側の各ブラケット６をケース部２ｂに対して固定する。この際、スピーカー装置５のスピーカー部５ａが平板部５ｃに対してＤ１＋Ｄ２だけ前方（矢印Ｃ方向）に突出しているので、スピーカー部５ａの受け部２ｄ側の面が受け部２ｄに当接した状態において、ブラケット６の筐体２側の表面は、ケース部２ｂのリブ部２ｅに当接しない。その一方で、傾斜部６ｇは、筐体２の傾斜部２ｇに当接するので、ねじ部材７をブラケット６の長穴部６ｄを介してケース部２ｂのねじ穴部２ｆに固定する際には、ブラケット６に固定されているスピーカー装置５を筐体２に対して安定した状態で取り付けることが可能となる。具体的には、傾斜部６ｇを傾斜部２ｇに当接させながら、スピーカー部５ａを受け部２ｄと本体部５ｂおよび支持部６ａとにより挟み込んで固定する。なお、傾斜部６ｇおよび傾斜部２ｇが傾斜していない場合に、スピーカー部５ａが平板部５ｃに対してＤ１＋Ｄ２だけ前方（矢印Ｃ方向）に突出しているスピーカー装置であれば、ブラケット６を筐体２に当接させずにスピーカー部５ａを挟み込んで固定するので、スピーカー部５ａを固定する力が大きくなりすぎる。この場合、スピーカー部５ａが適当に振動しなくなる。また、長穴部６ｄを、ブラケット６の傾斜部６ｇが筐体２の傾斜部２ｇに対してＥ方向に（図１５参照）スライドするのに伴って、ブラケット６の長穴部６ｄが移動した際に、ブラケット６がＥ方向に（図１５参照）移動する方向に延びるように形成することによって、ねじ部材７が挿入された状態で長穴部６ｄが矢印Ｅ方向に移動されるので、ねじ止めができなくなるのを抑制することを可能としている。このようにして、筐体２のケース部２ｂに対するスピーカー部５ａが平板部５ｃよりもＤ１＋Ｄ２だけ突出しているスピーカー装置５の組付が完了する。
【００２９】
なお、矢印Ｒ方向側のスピーカー装置５の組付手順は、矢印Ｌ方向側のスピーカー装置５の組付手順と同様である。
【００３０】
本実施形態では、上記のように、筐体２の傾斜部２ｇに当接するブラケット６の傾斜部６ｇを、ブラケット６を筐体２に対してねじ部材７により固定する際に、ブラケット６に当接する筐体２の傾斜部２ｇに対してスライドするように構成されていることによって、ねじ部材７が締め付けられる位置に係わらず、傾斜部２ｇおよび傾斜部６ｇを常に互いに当接させることができるので、ブラケット６を筐体２に対して安定した状態で固定することができる。その結果、スピーカー装置５を、筐体２に対して安定した状態で取り付けることができるので、スピーカー装置５による振動を抑制することができる。この場合、スピーカー装置５による振動を抑制するためのゴム製のスリーブなどを別途設ける必要がないため、部品点数が増加するのを抑制することができる。
【００３１】
また、本実施形態では、スピーカー装置５の外周部に、挿入穴部５ｄを有する板金製の平板部５ｃを設け、ブラケット６に、平板部５ｃに係合する爪部６ｃと、挿入穴部５ｄに挿入される凸部６ｂとを設けることによって、挿入穴部５ｄにブラケット６の凸部６ｂを挿入した状態でブラケット６を筐体２にねじ部材７により固定することにより、挿入穴部５ｄと凸部６ｂとの係合により、ブラケット６がスピーカー装置５に対して大きく移動するのを抑制しながら、挿入穴部５ｄに対してスライド移動可能な、凸部６ｂにより、ブラケット６をスピーカー装置５に対してスライド移動させることができる。また、ブラケット６の爪部６ｃをスピーカー装置５の平板部５ｃに係合させることによって、スピーカー装置５がブラケット６に対してがたつくのを抑制することができる。
【００３２】
また、本実施形態では、筐体２に、ブラケット６の位置決めを行うガイド部２ｃを設けることによって、ガイド部２ｃにより、容易に、ブラケット６が筐体２に対してがたつくのを抑制することができる。
【００３３】
また、本実施形態では、スピーカー装置５は、２つのブラケット６により押さえられ、２つのブラケット６は、それぞれ、１つのブラケット６に対して１つのねじ部材７により固定されるように構成されていることによって、１つのブラケット６に対して１つのねじ部材７を使用することにより、容易に、部品点数が増加するのを抑制することができるとともに、２つのブラケット６により、容易に、スピーカー装置５を安定した状態で筐体２に取り付けることができる。
【００３４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３５】
たとえば、上記実施形態では、スピーカー装置を備えた液晶テレビに本発明を適用する例を示したが、本発明はこれに限らず、スピーカー装置を備えるブラウン管テレビ、プラズマテレビおよび液晶ディスプレイなどの液晶テレビ以外の表示装置にも本発明を適用可能である。
【００３６】
また、上記実施形態では、スピーカー装置の挿入穴部にブラケットに設けられている凸部を挿入する例を示したが、本発明はこれに限らず、スピーカー装置の挿入穴部に凸部を挿入しなくてもよい。
【００３７】
また、上記実施形態では、２つのブラケットにより１つのスピーカー装置を筐体に取り付ける例を示したが、本発明はこれに限らず、１つのブラケットにより１つのスピーカー装置を筐体に取り付けてもよい。
【００３８】
また、上記実施形態では、スピーカー装置の平板部にブラケットに設けられている爪部を係合する例を示したが、本発明はこれに限らず、スピーカー装置の平板部に爪部を係合しなくてもよい。
【図面の簡単な説明】
【００３９】
【図１】本発明の一実施形態による液晶テレビの全体を表した正面図である。
【図２】本発明の一実施形態による液晶テレビの全体を表した側面図である。
【図３】図１に示した一実施形態による液晶テレビの構造を説明するための背面図である。
【図４】図１に示した一実施形態による液晶テレビのスピーカー装置の取付構造を説明するための図である。
【図５】図１に示した一実施形態による液晶テレビのスピーカー装置の取付構造を説明するための部分斜視図である。
【図６】図１に示した一実施形態による液晶テレビのスピーカー装置の取付構造を説明するための部分斜視図である。
【図７】図１に示した一実施形態による液晶テレビのスピーカー装置の取付構造を説明するための部分図である。
【図８】図７の１００−１００線に沿った断面図である。
【図９】図１に示した一実施形態による液晶テレビのスピーカー装置の構造および取付手順を説明するための図である。
【図１０】図１に示した一実施形態による液晶テレビのスピーカー装置の構造を説明するための正面図である。
【図１１】図１に示した一実施形態による液晶テレビのスピーカー装置の構造を説明するための側面図である。
【図１２】図１に示した一実施形態による液晶テレビのスピーカー装置の構造を説明するための背面図である。
【図１３】図１に示した一実施形態による液晶テレビのスピーカー装置を取り付けるブラケットの構造を説明するための斜視図である。
【図１４】図１に示した一実施形態による液晶テレビのスピーカー装置を取り付けるブラケットの構造を説明するための斜視図である。
【図１５】図１に示した一実施形態による液晶テレビのスピーカー装置を取り付けるブラケットの構造を説明するための正面図である。
【図１６】図１５を矢印Ｐ方向から見た図である。
【図１７】図１５を矢印Ｑ方向から見た図である。
【図１８】図１に示した一実施形態による液晶テレビのスピーカー装置が配置されるケース部を説明するための正面図である。
【図１９】図１８の２００−２００線に沿った断面図である。
【図２０】図１に示した一実施形態による液晶テレビの構造およびスピーカー装置の組付手順を説明するための図である。
【図２１】図１に示した一実施形態による液晶テレビのスピーカー装置の組付手順を説明するための分解斜視図である。
【図２２】図１に示した一実施形態による液晶テレビの構造およびスピーカー装置の組付手順を説明するための図である。
【図２３】図２２の３００−３００線に沿った断面図である。
【符号の説明】
【００４０】
１  液晶テレビ（表示装置）
２  筐体
２ｃ  ガイド部
２ｇ  傾斜部（第１傾斜部）
５  スピーカー装置
５ｃ  平板部
５ｄ  挿入穴部（穴部）
６  ブラケット
６ｂ  凸部
６ｃ  爪部
６ｄ  長穴部（ねじ穴部）
６ｇ  傾斜部（第２傾斜部）
７  ねじ部材
【図１】
2008103948.tif 000003
【図２】
2008103948.tif 000004
【図３】
2008103948.tif 000005
【図４】
2008103948.tif 000006
【図５】
2008103948.tif 000007
【図６】
2008103948.tif 000008
【図７】
2008103948.tif 000009
【図８】
2008103948.tif 000010
【図９】
2008103948.tif 000011
【図１０】
2008103948.tif 000012
【図１１】
2008103948.tif 000013
【図１２】
2008103948.tif 000014
【図１３】
2008103948.tif 000015
【図１４】
2008103948.tif 000016
【図１５】
2008103948.tif 000017
【図１６】
2008103948.tif 000018
【図１７】
2008103948.tif 000019
【図１８】
2008103948.tif 000020
【図１９】
2008103948.tif 000021
【図２０】
2008103948.tif 000022
【図２１】
2008103948.tif 000023
【図２２】
2008103948.tif 000024
【図２３】
2008103948.tif 000025